(57)【要約】      （修正有）【課題】端末装置に関する所定の信号が発生した量が少ない地理的な部分（エリア）を判定することができる情報処理装置を提供する。【解決手段】情報処理装置５１は、ネットワークで通信を行う移動可能な複数の端末装置のそれぞれについて位置を判定する位置判定部２５２と、位置判定部２５２による判定の結果に基づいて、端末装置に関する所定の信号が発生した量が少ない地理的なエリアを特定するエリア特定部２５６と、を備える。位置判定部２５２は、端末装置のハンドオーバに関する情報に基づいて、端末装置の推定される位置（推定位置）を判定する。【選択図】図２
2019062356.tif 000002
【特許請求の範囲】
【請求項１】
ネットワークで通信を行う移動可能な複数の端末装置のそれぞれについて位置を判定する位置判定部と、
前記位置判定部による判定の結果に基づいて、前記端末装置に関する所定の信号が発生した量が少ない地理的なエリアを特定するエリア特定部と、
を備える情報処理装置。
【請求項２】
複数の地理的な前記エリアを設定するエリア設定部と、
前記エリア設定部により設定された前記エリアのそれぞれについて前記所定の信号が発生した量を表すエリア値を判定するエリア値判定部と、を備え、
前記エリア特定部は、前記エリア値判定部により判定された前記エリア値に基づいて、前記エリア設定部により設定された前記エリアのうちの一部の前記エリアを特定する、
請求項１に記載の情報処理装置。
【請求項３】
前記位置判定部は、前記端末装置により行われる通信に関する情報に基づいて、時間により変化する前記端末装置の位置を判定する、
請求項１または請求項２のいずれか１項に記載の情報処理装置。
【請求項４】
前記位置判定部は、前記端末装置により行われる通信に関する情報である基地局装置間のハンドオーバに関する情報に基づいて、ハンドオーバにおける前記端末装置の位置を判定し、さらに、前記端末装置の位置を補間する、
請求項３に記載の情報処理装置。
【請求項５】
前記位置判定部により判定された位置を補正する位置補正部を備え、
前記位置判定部により判定された位置の代わりに、前記位置補正部により補正された位置が用いられる、
請求項１から請求項４のいずれか１項に記載の情報処理装置。
【請求項６】
前記所定の信号が発生したときにおける前記端末装置の位置と、前記エリア特定部により特定された前記所定の信号が発生した量が少ない地理的な前記エリアとを、異なる態様で表示するように制御する表示制御部を備える、
請求項１から請求項５のいずれか１項に記載の情報処理装置。
【請求項７】
位置判定部が、ネットワークで通信を行う移動可能な複数の端末装置のそれぞれについて位置を判定し、
エリア特定部が、前記位置判定部による判定の結果に基づいて、前記端末装置に関する所定の信号が発生した量が少ない地理的なエリアを特定する、
情報処理方法。
【請求項８】
位置判定部が、ネットワークで通信を行う移動可能な複数の端末装置のそれぞれについて位置を判定するステップと、
エリア特定部が、前記位置判定部による判定の結果に基づいて、前記端末装置に関する所定の信号が発生した量が少ない地理的なエリアを特定するステップと、
をコンピュータに実行させるためのプログラム。
【発明の詳細な説明】
【技術分野】
【０００１】
本発明は、情報処理装置、情報処理方法およびプログラムに関する。
【背景技術】
【０００２】
高速通信サービスとしてＬＴＥ（Ｌｏｎｇ  Ｔｅｒｍ  Ｅｖｏｌｕｔｉｏｎ）のサービスが知られている。ＬＴＥのサービスを提供する一般なテレコミュニケーションネットワークでは、一台のＭＭＥ（Ｍｏｂｉｌｉｔｙ  Ｍａｎａｇｅｍｅｎｔ  Ｅｎｔｉｔｙ）に対して、多数の基地局装置（ｅＮｏｄｅＢ：ｅｖｏｌｖｅｄ  Ｎｏｄｅ  Ｂ）が収容されている。また、それぞれのｅＮｏｄｅＢには、多数の端末装置（ＵＥ：Ｕｓｅｒ  Ｅｑｕｉｐｍｅｎｔ）が収容されている。
【０００３】
このため、それぞれのｅＮｏｄｅＢとＭＭＥとを相互接続するＳ１−ＭＭＥのインタフェースでは、それぞれのｅＮｏｄｅＢに収容されている多数の端末装置に関する膨大な数のデータ・パケットが通信されている。これらのデータ・パケットは、それぞれの端末装置の状態の変化（遷移）を契機に発生する。状態の変化としては、例えば、アタッチ、ハンドオフ、あるいは、アイドル状態への遷移などがある。
このようなデータ・パケットを監視する装置（モニタリング装置）では、多数の端末装置により通信されるデータ・パケットが混在した状態で観測される。なお、個々のデータ・パケットから、直接、端末装置を特定すること、あるいは、端末装置の状態を特定することはできない。
【０００４】
特許文献１には、Ｓ１−ＭＭＥのインタフェースを流れるデータ・パケットを監視して、当該データ・パケットに基づいて得られる制御信号を端末装置ごとの単位でマッピングする技術が記載されている（特許文献１参照。）。マッピングされた制御信号のシーケンスを解析することで、端末装置の状態を管理することが可能である。ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を用いることで端末装置を特定することも可能であるが、端末装置の識別を目的とする際にはＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）単位で状態を管理することも考えられる。
【０００５】
特許文献１に記載された技術では、ネットワーク内を流れる制御信号を分析することで、匿名性を保ったままデバイスを認識して、当該デバイスの移動を推定することが可能である。
しかしながら、基地局装置の粒度で観測されるデータであり、さらに推定されるデータであるため、データの精度が低い場合があり、種々のアプリケーションに応用するためには、さらなる工夫が必要であった。
【０００６】
非特許文献１には、Ｓ１  Ａｐｐｌｉｃａｔｉｏｎのプロトコルについて記載されている（非特許文献１参照。）。
非特許文献２には、プロトコルの正常性を確認する手法が記載されており、ｃｏｎｆｏｒｍａｎｃｅ  ｔｅｓｔｉｎｇと呼ばれている（非特許文献２参照。）。この技術は、端末装置の状態の遷移を標準化仕様と比較することで、実装されているネットワークが仕様通りに動作するか否かを検証する方式として、広く利用されている。しかしながら、この技術では、仕様通りに実装されているネットワークにおいて発生する品質劣化ならびに異常を捉えることはできない。
【０００７】
また、一般的に、ネットワーク機器が正常に運用されているか否かを監視するために、通信キャリアについて、設備のログを監視し、あわせてコールログを監視している。このような監視において、エラーログの発生に基づいて、ネットワークの異常を検出している。しかしながら、エラーが生成されない品質の劣化については、迅速に捉えることが容易ではない。
【０００８】
さらに、一般的に、異常検出システムは、事前に「異常」を定義して、当該定義における特徴に基づいて異常を抽出する。このような異常検出システムは、ルールベースシステムあるいはエキスパートシステムと呼ばれている。しかしながら、異常が顕在化する前に当該異常を定義することが困難である。例えば、ＬＴＥのネットワークにおける通信品質の監視においては、使用者（客などのユーザ）の申告を未然に防ぐことが困難である。このため、正しく実装されたネットワークを運用する通信キャリアにおいても、継続的に高品質の通信サービスを提供することが困難な場合があった。
【０００９】
また、近年、ＩｏＴ（Ｉｎｔｅｒｎｅｔ  ｏｎ  Ｔｈｉｎｇｓ）のサービスが普及してきている。ＩｏＴサービスの普及に伴って、種々のセンシングデータが収集されている。センシングデバイスは同期あるいは非同期でデバイスの周辺を観測し、観測されたデータをサーバに送信して収集することで、全体像を把握する。
ＩｏＴに関して様々なアプリケーションが考案されており、主要なアプリケーションの一つに異常を検出するアプリケーションがある。例えば、工場などの建物の内側の気温の変化を検出して火災を防ぐためのアプリケーション、あるいは、酸素濃度の変化を検出して作業員に対する悪影響を未然に防ぐためのアプリケーションなどが考えられている。
【００１０】
また、センサネットワークのアプリケーションには、参加型センシング（あるいは、協調型センシング）などと呼ばれる形態がある。参加型センシングでは、スマートホンなどをセンサとみなして、データを収集する。センサにより収集されるデータは価値として評価されることを特徴とし、情報を提供したセンサは価値に見合ったインセンティブを受領することが一般的である。価値は様々な指標で評価される。その評価の仕方の一つとして、希少性に基づく評価の仕方がある。
【００１１】
希少性とは、容易には収集されないデータであることを意味する指標である。例えば、あるセンサが、他のセンサがそれほど観測していないデータを観測して当該データをサーバへ提供した場合、他のセンサも頻繁に観測しているデータを提供した場合と比べて、高価なインセンティブを受けることができるという仕組みが、希少性を評価する一例である。
希少性の評価の仕方には様々なものが考えられるが、一般的には、地域性に関する希少性を評価することがある。
しかしながら、すべてのセンサが正確な地理情報を把握することができるとは限らず、観測データと地理データとが常にセットになっていない場合もあった。
【先行技術文献】
【特許文献】
【００１２】
【特許文献１】特開２０１６−１５２５２８号公報
【非特許文献】
【００１３】
【非特許文献１】３ＧＰＰ  ＴＳ  ３６．４１３  Ｖ１２．５．０  （２０１５−０３）  Ｓ１  Ａｐｐｌｉｃａｔｉｏｎ  Ｐｒｏｔｏｃｏｌ  （Ｓ１ＡＰ）
【非特許文献２】Ｌｅｅ，Ｄ．；Ｄｏｎｇｌｕｏ  Ｃｈｅｎ；Ｒｕｉｂｉｎｇ  Ｈａｏ；Ｍｉｌｌｅｒ，Ｒ．Ｅ．；Ｊｉａｎｐｉｎｇ  Ｗｕ；Ｘｉａ  Ｙｉｎ，“Ｎｅｔｗｏｒｋ  Ｐｒｏｔｏｃｏｌ  Ｓｙｓｔｅｍ  Ｍｏｎｉｔｏｒｉｎｇ−Ａ  Ｆｏｒｍａｌ  Ａｐｐｒｏａｃｈ  Ｗｉｔｈ  Ｐａｓｓｉｖｅ  Ｔｅｓｔｉｎｇ”，ＩＥＥＥ／ＡＣＭ  ＴＲＡＮＳＡＣＴＩＯＮＳ  ＯＮ  ＮＥＴＷＯＲＫＩＮＧ，ＶＯＬ．１４，ＮＯ．２，ｐｐ．４２４−４３７，ＡＰＲＩＬ  ２００６
【発明の概要】
【発明が解決しようとする課題】
【００１４】
上述のように、従来では、ＬＴＥあるいはセンシングなどによって収集された情報に基づいて端末装置に関する所定の信号が発生した量が少ない地理的な部分を判定することが困難な場合があった。一例として、当該所定の信号がＬＴＥネットワークにおける制御信号である場合、このような地理的な部分では何らかの異常が発生している可能性がある。他の例として、当該所定の信号がセンシングデータの信号である場合、このような地理的な部分は希少性がある部分である可能性がある。
【００１５】
本発明は、このような事情を考慮してなされたもので、端末装置に関する所定の信号が発生した量が少ない地理的な部分（エリア）を判定することができる情報処理装置、情報処理方法およびプログラムを提供することを課題とする。
【課題を解決するための手段】
【００１６】
一構成例として、ネットワークで通信を行う移動可能な複数の端末装置のそれぞれについて位置を判定する位置判定部と、前記位置判定部による判定の結果に基づいて、前記端末装置に関する所定の信号が発生した量が少ない地理的なエリアを特定するエリア特定部と、を備える情報処理装置である。
【発明の効果】
【００１７】
本発明によれば、端末装置に関する所定の信号が発生した量が少ない地理的な部分（エリア）を判定することができる。
【図面の簡単な説明】
【００１８】
【図１】本発明の一実施形態に係る通信システムの概略的な構成を示すブロック図である。
【図２】本発明の一実施形態に係る情報処理装置の概略的な構成を示すブロック図である。
【図３】本発明の一実施形態に係る状態テーブルの一例を示す図である。
【図４】本発明の一実施形態に係る端末装置の推定位置の一例を示す図である。
【図５】本発明の一実施形態に係るマッピング処理が行われる前における推定位置の一例を示す図である。
【図６】本発明の一実施形態に係るマッピング処理が行われた後における推定位置の一例を示す図である。
【図７】本発明の一実施形態に係るエリアの一例を示す図である。
【図８】本発明の一実施形態に係るエリアの他の例を示す図である。
【図９】本発明の一実施形態に係る端末装置の所定の推定位置の状況を表す画面の一例を示す図である。
【図１０】本発明の一実施形態に係る端末装置の所定の推定位置の不存在部分の状況を表す画面の一例を示す図である。
【図１１】本発明の一実施形態に係る情報処理装置において行われる処理の手順の一例を示す図である。
【発明を実施するための形態】
【００１９】
以下、図面を参照し、本発明の実施形態について説明する。
以下の実施形態は、ＬＴＥを例として説明するが、例えば、ＬＴＥ以外のネットワークに適用されてもよい。
【００２０】
［通信システム］
図１は、本発明の一実施形態に係る通信システム１の概略的な構成を示すブロック図である。
本実施形態では、ＬＴＥのネットワークに適用した場合を示す。
ＬＴＥのネットワークは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ｎｅｔｗｏｒｋ）と呼ばれる無線のネットワークと、ＥＰＣ（Ｅｖｏｌｖｅｄ  Ｐａｃｋｅｔ  Ｃｏｒｅ）と呼ばれるコアネットワークから構成されている。
【００２１】
Ｅ−ＵＴＲＡＮは、基地局装置（ｅＮｏｄｅＢ）２１−１〜２１−３のみで構成される。
ＥＰＣは、ＭＭＥ装置３１、Ｓ−ＧＷ（Ｓｅｒｖｉｎｇ−Ｇａｔｅｗａｙ）装置４１、Ｐ−ＧＷ（ＰＤＮ（Ｐａｃｋｅｔ  ｄａｔａ  ｎｅｔｗｏｒｋ）−Ｇａｔｅｗａｙ）装置４２、図示していないＨＳＳ（Ｈｏｍｅ  Ｓｕｂｓｃｒｉｂｅｒ  Ｓｙｓｔｅｍ）装置など、複数の装置群によって構成される。
【００２２】
本実施形態に係る通信システム１は、さらに、端末装置（ＵＥ）１１−１〜１１−３を備える。
本実施形態に係る通信システム１は、さらに、ＰＤＮあるいはインターネットなどのネットワーク４３、記憶装置３２、情報処理装置５１を備える。
なお、端末装置１１−１〜１１−３、基地局装置２１−１〜２１−３、ＭＭＥ装置３１、Ｓ−ＧＷ装置４１あるいはＰ−ＧＷ装置４２は、それぞれ、例えば、多数備えられており、図１では、一部のみが示されている。
【００２３】
各端末装置１１−１〜１１−３は、例えば、スマートホンなどの装置である。各端末装置１１−１〜１１−３は、自動車などに搭載されるあるいは人（例えば、ユーザ）により携帯されるなどして、移動可能である。
各端末装置１１−１〜１１−３と、基地局装置２１−１〜２１−３との間で、無線により通信を行う。
２個以上の基地局装置２１−１〜２１−３の間で、信号の通信を行う。
【００２４】
各基地局装置２１−１〜２１−３と、ＭＭＥ装置３１とは、Ｓ１−ＭＭＥのインタフェースの回線１０１〜１０３を介して、通信を行う。各基地局装置２１−１〜２１−３は、回線１０１〜１０３を介して、例えば、端末装置１１−１〜１１−３の状態に関する情報をＭＭＥ装置３１に送信する。回線１０１〜１０３は、コントロールプレーン（Ｃｏｎｔｒｏｌ−ｐｌａｎｅ）である。
各基地局装置２１−１〜２１−３と、Ｓ−ＧＷ装置４１とは、インタフェースの回線１１１〜１１３を介して、通信を行う。回線１１１〜１１３は、ユーザプレーン（Ｕｓｅｒ−ｐｌａｎｅ）である。
ＭＭＥ装置３１と、Ｓ−ＧＷ装置４１とは、Ｓ１１のインタフェースの回線１０４を介して、通信を行う。Ｓ−ＧＷ装置４１は、回線１０４を介して、例えば、端末装置１１−１〜１１−３の状態に関する情報をＭＭＥ装置３１に送信する。回線１０４は、コントロールプレーン（Ｃｏｎｔｒｏｌ−ｐｌａｎｅ）である。
【００２５】
Ｓ−ＧＷ装置４１と、Ｐ−ＧＷ装置４２とは、Ｓ５／Ｓ８のインタフェースの回線１２１、１２２を介して、通信を行う。回線１２１は、コントロールプレーン（Ｃｏｎｔｒｏｌ−ｐｌａｎｅ）である。回線１２２は、ユーザプレーン（Ｕｓｅｒ−ｐｌａｎｅ）である。
Ｐ−ＧＷ装置４２は、インタフェースの回線１３１を介して、ネットワーク４３との間で通信を行う。回線１３１は、ユーザプレーン（Ｕｓｅｒ−ｐｌａｎｅ）である。
【００２６】
記憶装置３２は、端末装置１１−１〜１１−３の状態に関する情報を記憶する。
本実施形態では、ＭＭＥ装置３１が各基地局装置２１−１〜２１−３あるいはＳ−ＧＷ装置４１から受信した情報、または、当該情報を用いて得られる情報が、記憶装置３２に記憶される。
ここで、記憶装置３２に記憶される情報は、例えば、ＭＭＥ装置３１が各基地局装置２１−１〜２１−３から受信した情報と、ＭＭＥ装置３１がＳ−ＧＷ装置４１から受信した情報とのうちの任意の一方に基づいてもよく、または、両方に基づいてもよい。
一般に、Ｓ１−ＭＭＥのインタフェースの回線１０１〜１０３を流れる信号に基づいて、各端末装置１１−１〜１１−３の位置の情報が、各基地局装置２１−１〜２１−３ごとの単位で、記憶装置３２に記憶（記録）される。
【００２７】
情報処理装置５１は、記憶装置３２に記憶された情報に基づいて、端末装置１１−１〜１１−３の状態などを管理する処理を行う。
情報処理装置５１は、例えば、人（管理者など）により操作されて動作してもよく、または、あらかじめ定められた規則にしたがって（自動的に）動作してもよい。
【００２８】
［情報処理装置］
図２は、本発明の一実施形態に係る情報処理装置５１の概略的な構成を示すブロック図である。
本実施形態では、情報処理装置５１が独立な装置として、通信システム１に備えられている。または、情報処理装置５１の機能が、通信システム１におけるいずれかの装置（例えば、ＭＭＥ装置３１または他の装置）に備えられてもよい。または、情報処理装置５１の機能が、通信システム１における２個以上の装置に分散されて備えられてもよい。
【００２９】
情報処理装置５１は、入力部２１１と、出力部２１２と、記憶部２１３と、制御部２１４を備える。
出力部２１２は、表示部２３１を備える。
制御部２１４は、情報取得部２５１と、位置判定部２５２と、位置補正部２５３と、エリア設定部２５４と、エリア値判定部２５５と、エリア特定部２５６と、表示制御部２５７を備える。
【００３０】
入力部２１１は、情報を入力する。入力部２１１は、例えば、他の装置から情報を入力してもよく、または、操作部を有し、人により行われた当該操作部の操作の情報を受け付けて入力してもよい。
出力部２１２は、情報を出力する。出力部２１２は、例えば、他の装置に情報を出力してもよく、一例として、表示部２３１により、ディスプレイ装置などの表示装置の画面に情報を表示出力してもよい。なお、表示装置は、例えば、情報処理装置５１に含まれてもよく、あるいは、情報処理装置５１とは別体であってもよい。
記憶部２１３は、情報を記憶する。
制御部２１４は、各種の処理あるいは制御を行う。
一例として、記憶部２１３は制御プログラムおよびパラメータを記憶し、制御部２１４はＣＰＵ（Ｃｅｎｔｒａｌ  Ｐｒｏｃｅｓｓｉｎｇ  Ｕｎｉｔ）を備えて当該ＣＰＵにより当該パラメータを用いて当該制御プログラムを実行することで、各種の処理あるいは制御を行ってもよい。
【００３１】
情報取得部２５１は、種々な情報を取得する。
情報取得部２５１は、一例として、制御信号に関する情報（制御信号情報）を取得する。本実施形態では、情報取得部２５１は、記憶装置３２に記憶された制御信号情報を取得する。
ここで、図１に示される通信システム１におけるネットワークに流れる制御信号には、例えば、プロトコルのメッセージを有する信号が含まれる。このようなメッセージに基づいて、それぞれの端末装置１１−１〜１１−３の状態、および状態の遷移が把握され得る。
なお、情報取得部２５１により制御信号情報を取得する手法としては、任意であってもよく、例えば、既に記憶された制御信号情報（例えば、ログの情報）を取得する手法が用いられてもよく、あるいは、リアルタイムなどで、通信されるデータ・パケット（信号）をパッシブで観測してキャプチャする手法が用いられてもよい。
本実施形態では、記憶装置３２には、Ｓ１−ＭＭＥからの情報と、Ｓ１１からの情報が格納され、これらの情報に基づいて状態の遷移に関する情報（状態遷移情報）が得られる。また、記憶装置３２に記憶された情報に基づいて、端末装置１１−１〜１１−３が制御信号を送信したタイミングを特定することが可能である。
【００３２】
情報取得部２５１は、他の例として、センシングデータに関する情報（センシング情報）を取得する。本実施形態では、情報取得部２５１は、ネットワーク４３に接続されたサーバ装置（図示せず）に記憶されたセンシング情報を取得する。
本実施形態では、端末装置１１−１〜１１−３は、センサとして機能する場合、検出（例えば、観測）されたデータ（センシングデータ）をサーバ装置に対して送信（アップロード）する。サーバ装置は、記憶装置（図示せず）を有しており、端末装置１１−１〜１１−３から受信されたデータを当該記憶装置に記憶する。また、サーバ装置は、端末装置１１−１〜１１−３がセンシングデータを送信したタイミングを表す情報を当該記憶装置に記憶する。
【００３３】
本実施形態では、情報取得部２５１により取得される情報に基づいて、端末装置１１−１〜１１−３を収容していた基地局装置２１−１〜２１−３を特定することができ、端末装置１１−１〜１１−３が基地局装置２１−１〜２１−３のハンドオーバを行ったタイミングを特定することができ、端末装置１１−１〜１１−３について制御信号が発生したタイミングを特定することができる。
また、本実施形態では、情報取得部２５１により取得される情報に基づいて、センサとして機能する端末装置１１−１〜１１−３がセンシングデータを送信したタイミングを特定することができる。
【００３４】
位置判定部２５２は、端末装置１１−１〜１１−３の位置を判定する。
本実施形態では、位置判定部２５２は、端末装置１１−１〜１１−３のハンドオーバに関する情報に基づいて、端末装置１１−１〜１１−３の推定される位置（推定位置）を判定する。この場合、位置判定部２５２は、例えば、判定された２個以上の推定位置に基づいて、位置（推定位置）の補間を行ってもよい。
なお、推定位置について補間が行われる必要がない場合には、当該補間は行われなくてもよい。また、位置判定部２５２による補間が、必要な場合に行われ、必要でない場合に行われない、構成が用いられてもよい。
【００３５】
位置補正部２５３は、位置判定部２５２により判定された端末装置１１−１〜１１−３の位置（本実施形態では、推定位置）について補正を行う。位置補正部２５３は、例えば、基準となる経路（基準経路）に基づいて位置の補正を行ってもよい。当該基準経路としては、任意の経路が用いられてもよく、例えば、電車の線路に沿った経路、道路に沿った経路、あるいは、人の通路に沿った経路などが用いられてもよい。当該基準経路を特定する情報は、例えば、あらかじめ設定されて、記憶部２１３などに記憶される。
なお、端末装置１１−１〜１１−３の位置について補正が行われる必要がない場合には、位置補正部２５３は備えられなくてもよい。また、位置補正部２５３による補正が、必要な場合に行われ、必要でない場合に行われない、構成が用いられてもよい。
【００３６】
エリア設定部２５４は、複数の地理的なエリア（領域）を設定する。なお、エリアとして、例えば、クラスタなどが用いられてもよい。
一例として、基準経路が用いられる場合には、エリアとして、当該基準経路を複数に分割したそれぞれの分割部分（分割された線状の部分）が用いられてもよい。
他の例として、エリアとしては、２次元の平面（緯度と経度により特定される平面、または、それと同様な平面）において、任意の形状を有する部分が用いられてもよい。
他の例として、エリアとしては、当該２次元の平面の情報と高さの情報を持った、３次元の任意の形状を有する部分が用いられてもよい。
【００３７】
エリア値判定部２５５は、エリア設定部２５４により設定された複数のエリアのそれぞれについて、所定の値（エリア値）を判定する。
当該所定の値（エリア値）としては、例えば、端末装置１１−１〜１１−３に関する所定の信号の量に応じた値が用いられてもよい。一例として、当該所定の値（エリア値）としては、それぞれのエリアにおける端末装置１１−１〜１１−３の位置（推定位置）の数を表す値が用いられる。エリア値判定部２５５は、例えば、位置判定部２５２による位置の判定結果と位置補正部２５３による位置の補正結果とのうちの一方または両方に基づいて、エリア値を判定する。
【００３８】
ここで、本実施形態では、エリア値判定部２５５は、端末装置１１−１〜１１−３について制御信号が発生したときに当該端末装置１１−１〜１１−３が存在した位置、あるいは、端末装置１１−１〜１１−３がセンシングデータを送信したときに当該端末装置１１−１〜１１−３が存在した位置のうちの一方（または、両方であってもよい）を、エリア値を計数（カウント）するときにおける端末装置１１−１〜１１−３の位置（計数対象の位置）として用いる。
この場合、例えば、位置判定部２５２により判定された位置だけで計数対象の位置のすべてが網羅されるときには、位置の補間は行われなくてもよい。一方、位置判定部２５２により判定された位置だけでは計数対象の位置のすべてが網羅されないときには、例えば、位置判定部２５２は、位置の補間を行うことで、計数対象の位置のすべてが網羅されるようにする。
【００３９】
なお、端末装置１１−１〜１１−３について制御信号が発生したタイミング、あるいは、端末装置１１−１〜１１−３がセンシングデータを送信したときのタイミングとしては、例えば、その代わりに、ネットワークにおける所定の装置が当該制御信号（または、当該制御信号に関する情報）あるいは当該センシングデータを受信したときのタイミングなどが用いられてもよい。つまり、端末装置１１−１〜１１−３について制御信号が発生したタイミング、あるいは、端末装置１１−１〜１１−３がセンシングデータを送信したときのタイミングとしては、例えば、処理に支障のない程度で、多少ずれてもよい。これに応じて、端末装置１１−１〜１１−３の推定位置が、処理に支障のない程度で、多少ずれてもよい。なお、制御信号（または、それに関する情報）を受信する当該所定の装置としては、例えば、ＭＭＥ装置３１などであってもよく、また、センシングデータを受信する当該所定の装置としては、例えば、サーバ装置などであってもよい。
【００４０】
エリア特定部２５６は、エリア設定部２５４により設定された複数のエリアのうちで、所定のエリアを特定する。当該所定のエリアとしては、例えば、エリア値が所定の閾値未満（または、所定の閾値以下）であるエリアが用いられる。
【００４１】
表示制御部２５７は、表示部２３１により行われる表示の処理を制御する。表示制御部２５７は、例えば、表示装置の画面に表示するための情報（表示情報）を生成してもよい。当該表示情報は、例えば、出力部２１２の表示部２３１によって、表示装置の画面に表示出力される。
ここで、表示制御部２５７により表示する情報としては、任意の情報であってもよく、例えば、ユーザにより指定された情報であってもよく、あるいは、あらかじめ定められた情報であってもよい。また、表示制御部２５７により情報を表示するタイミングとしては、任意のタイミングであってもよく、例えば、ユーザにより指定されたタイミングであってもよく、あるいは、あらかじめ定められたタイミングであってもよい。
【００４２】
なお、本実施形態では、設備ログを用いてＥ−ＵＴＲＡＮおよびＥＰＣのなかにおけるすべての監視が行われている。また、本実施形態では、コールログを用いてＳ１−Ｕインタフェースを流れるユーザデータについて監視が行われている。
【００４３】
［情報処理装置において行われる処理］
図３〜図１１を参照して、情報処理装置５１において行われる処理を説明する。
図３は、本発明の一実施形態に係る状態テーブル１０１１の一例を示す図である。
本実施形態では、情報処理装置５１は、記憶部２１３に、状態テーブル１０１１を記憶する。
【００４４】
状態テーブル１０１１は、端末装置１１−１〜１１−３に関して、状態（Ｓｔａｔｅｓ）の番号と、状態とを対応付けて格納する。状態の番号は、便宜上の番号であり、任意であってもよい。状態は、端末装置１１−１〜１１−３ごとの状態である。
本実施形態では、状態テーブル１０１１の内容は、非特許文献１に記載された仕様に基づいて定義されている。他の構成例として、状態テーブル１０１１の内容は、任意に定義されてもよい。
本実施形態では、すべての端末装置１１−１〜１１−３は、電源がオンにされているときには、状態テーブル１０１１に示される複数の状態のうちのいずれかの状態にある。
【００４５】
図３の例では、状態テーブル１０１１において、番号「１」と状態「Ａｃｔｉｖａｔｉｏｎ」とが対応付けられており、番号「２」と状態「Ｉｎｉｔｉａｌ  ｃｏｎｔｅｘｔ  ｓｅｔｕｐ」とが対応付けられており、番号「３」と状態「Ｓｅｔｕｐ  ｂｅａｒｅｒ」とが対応付けられており、図３に示される以降も同様である。
本実施形態では、状態テーブル１０１１に示される複数の状態のそれぞれにおいて、ＬＴＥのネットワークにおいて制御信号が発生する。
【００４６】
図４は、本発明の一実施形態に係る端末装置１１−１〜１１−３の推定位置の一例を示す図である。
図４には、複数の基地局装置３１１〜３１５（図１に示される基地局装置２１−１〜２１−３に対応するもの）を示してある。
本実施形態では、時刻ｔを用いて説明する。時刻ｔの１単位時間は、任意の時間であってもよく、例えば、１秒であってもよい。
ここでは、端末装置１１−１を例として、当該端末装置１１−１の推定位置について説明する。なお、他の端末装置１１−２〜１１−３の推定位置についても、端末装置１１−１の場合と同様である。
本実施形態では、１個ずつの端末装置１１−１〜１１−３ごとに、推定位置を求め、動線（推定される動線）を求める。
【００４７】
図４には、端末装置１１−１の実際の位置３５１〜３５４を示してある。端末装置１１−１は、実際の位置３５１、実際の位置３５２、実際の位置３５３、実際の位置３５４の順に移動した。
本実施形態では、情報処理装置５１では、端末装置１１−１の実際の位置３５１〜３５４の情報は取得されない。情報処理装置５１では、情報取得部２５１により、端末装置１１−１の状態に関する情報を取得する。
【００４８】
図４には、端末装置１１−１の状態に関する情報を示してある。
端末装置１１−１は、時刻ｔ＝０に、基地局装置３１１の通信可能領域（例えば、サービスエリア）において、「ＡＣＴ（Ａｃｔｉｖａｔｉｏｎ）」の状態になった。
次に、端末装置１１−１は、時刻ｔ＝３に、基地局装置３１１から基地局装置３１２へハンドオーバした「Ｘ２ＨＯ（Ｘ２  Ｈａｎｄｏｖｅｒ  ｓｕｃｃｅｅｄｅｄ）」の状態になった。
次に、端末装置１１−１は、時刻ｔ＝７に、基地局装置３１２から基地局装置３１３へハンドオーバした「Ｘ２ＨＯ」の状態になった。
次に、端末装置１１−１は、時刻ｔ＝１０に、基地局装置３１３から基地局装置３１４へハンドオーバした「Ｘ２ＨＯ」の状態になった。
次に、端末装置１１−１は、時刻ｔ＝２０に、基地局装置３１４から基地局装置３１５へハンドオーバした「Ｘ２ＨＯ」の状態になった。
次に、端末装置１１−１は、時刻ｔ＝３０に、基地局装置３１５から他の基地局装置（図示せず）へハンドオーバした「Ｘ２ＨＯ」の状態になった。
次に、端末装置１１−１は、時刻ｔ＝３５に、「Ｉｄｅｌ」の状態になった。
【００４９】
情報処理装置５１では、位置判定部２５２は、端末装置１１−１の状態の遷移に関する情報に基づいて、端末装置１１−１がハンドオーバしたときの時刻と、ハンドオーバ元の基地局装置とハンドオーバ先の基地局装置との中点の位置とを対応付けて取得する。位置判定部２５２は、当該中点の位置を、端末装置１１−１の位置（推定位置）として判定する。
図４の例では、位置判定部２５２は、時刻ｔ＝３と、２個の基地局装置３１１、３１２の中点の位置（推定位置３３１）とを対応付ける。また、位置判定部２５２は、時刻ｔ＝７と、２個の基地局装置３１２、３１３の中点の位置（推定位置３３２）とを対応付ける。また、位置判定部２５２は、時刻ｔ＝１０と、２個の基地局装置３１３、３１４の中点の位置（推定位置３３３）とを対応付ける。また、位置判定部２５２は、時刻ｔ＝２０と、２個の基地局装置３１４、３１５の中点の位置（推定位置３３４）とを対応付ける。
【００５０】
また、位置判定部２５２は、ハンドオーバの情報に基づいて端末装置１１−１の推定位置３３１〜３３４を判定した後に、これらの推定位置３３１〜３３４の間を補間することで、他の推定位置を判定する。本実施形態では、位置判定部２５２は、単位時間ごとの推定位置を判定する。具体的には、位置判定部２５２は、隣接する時刻に判定された推定位置である、時刻ｔ＝３の推定位置３３１と時刻ｔ＝７の推定位置３３２に基づいて、これらの時刻の間の時刻である時刻ｔ＝４の推定位置３７１、時刻ｔ＝５の推定位置３７２、時刻ｔ＝６の推定位置３７３を補間により求める。これにより、端末装置１１−１の推定位置を結ぶ移動経路（動線）が推定される。
【００５１】
ここで、端末装置１１−１の実際の位置３５１〜３５４と推定位置３３１〜３３４とはずれるが、例えば、実用上で有効な程度のずれ（誤差）であればよい。
また、図４では、図を簡易化するために、端末装置１１−１の推定位置３３１〜３３４、３７１〜３７３については、一部のみに符号を付してある。
【００５２】
図５および図６を参照して、推定位置のマッピング処理について説明する。
情報処理装置５１では、位置補正部２５３は、位置判定部２５２により判定された推定位置について、マッピング処理を行うことで、当該推定位置を補正する。
図５は、本発明の一実施形態に係るマッピング処理が行われる前における推定位置の一例を示す図である。
図６は、本発明の一実施形態に係るマッピング処理が行われた後における推定位置の一例を示す図である。
【００５３】
図５には、基準経路４１１と、基準経路４１１に対してずれ（誤差）が許容される範囲の境界を示す２個の線（閾値線４３１および閾値線４３２）を示してある。図５の例では、２個の閾値線４３１、４３２の間に挟まれる領域に存在する推定位置４５１〜４５８は、基準経路４１１に沿って移動する端末装置の位置に対応するとみなす。
【００５４】
位置補正部２５３は、それぞれの推定位置４５１〜４５８について、２個の閾値線４３１、４３２の間に挟まれる領域に存在するが基準経路４１１から外れている推定位置（図５の例では、推定位置４５１〜４５８）については、基準経路４１１に沿った位置へ補正する。本実施形態では、位置補正部２５３は、基準経路４１１から外れた推定位置を、当該基準経路４１１に含まれる位置のなかで最も近い位置へ補正する。
ここで、位置補正部２５３が推定位置を補正する手法としては、任意の手法が用いられてもよく、例えば、基準経路４１１から外れた推定位置を、当該基準経路４１１に対して垂直方向に移動させた場合に当該基準経路４１１と交差する点の位置へ補正する手法が用いられてもよい。
【００５５】
図６には、マッピング処理の結果の一例を示してある。図６の例では、図５に示される推定位置４５１〜４５８が、それぞれ、推定位置４７１〜４７８へ補正されている。つまり、図５および図６の例では、基準経路４１１の上にある座標から外れた座標にある推定位置４５１〜４５８が補正対象とされて、基準経路４１１の上にある最近傍の座標の位置（推定位置４７１~４７８）へ投影（補正）される。
【００５６】
図７および図８を参照して、エリアについて説明する。
図７は、本発明の一実施形態に係るエリアの一例を示す図である。
図７には、基準経路５１１が設定されている場合にエリア設定部２５４により設定されるエリア５５１〜５５３の一例を示してある。
エリア設定部２５４は、基準経路５１１を複数に分割したそれぞれの分割部分をエリア５５１〜５５３として設定する。図７には、隣接するエリア５５１〜５５３を区切る境界５３１〜５３４を示してある。本実施形態では、エリア設定部２５４は、それぞれのエリア５５１〜５５３に含まれる基準経路５１１の長さ（距離）が同じになるように、境界５３１〜５３４を設定して、隣接する境界５３１〜５３４に挟まれる部分（分割部分）をそれぞれのエリア５５１〜５５３として設定する。本実施形態では、基準経路５１１が全体にわたって等分割されている。複数のエリア５５１〜５５３には、それぞれ、エリアの識別情報（ＩＤ）が割り当てられてもよい。図７の例では、それぞれのエリア５５１〜５５３について、基準経路５１１に存在する推定位置（本実施形態では、補正後の推定位置５７１〜５７８）を示してある。
【００５７】
ここで、図７の例では、３個のエリア５５１〜５５３を示したが、エリア設定部２５４は、解析対象となる領域の全体（例えば、解析対象となる基準経路５１１の全体）について、任意の数のエリアを設定してもよい。
また、エリア設定部２５４は、複数のエリア５５１〜５５３を設定する場合に、１個の基準となる境界線（任意の境界線でもよい。）を設定するところは任意であってもよい。つまり、図７の例では、１個の境界線が決まると、一定の長さの間隔で他の境界線も決まるが、最初の境界線（基準となる境界線）が設定されるところは任意であってもよい。
【００５８】
図８は、本発明の一実施形態に係るエリアの他の例を示す図である。
図８には、複数のエリア６１１〜６１６を示してある。
エリア設定部２５４は、基準経路が設定されていない場合、あるいは、基準経路が設定されているが当該基準経路を使用しないでエリアを設定する場合に、複数のエリア６１１〜６１６を設定する。複数のエリア６１１〜６１６は、例えば、それぞれ、面積が同じである。
ここで、図８の例では、６個のエリア６１１〜６１６を示したが、エリア設定部２５４は、解析対象となる領域の全体について、任意の数のエリアを設定してもよい。
また、それぞれのエリア６１１〜６１６の形状としては、任意であってもよく、例えば、同じ形状であってもよい。
【００５９】
ここで、エリア値判定部２５５は、エリア設定部２５４により設定された複数のエリアのそれぞれについて、エリア値を判定する。一例として、エリア値判定部２５５は、エリア値として、すべての端末装置１１−１〜１１−３について制御信号が発生したタイミングに当該端末装置１１−１〜１１−３が存在した位置（推定位置）を計数対象として、それぞれのエリアに存在する位置の数を表す値を用いる。なお、端末装置１１−１〜１１−３について制御信号が発生したタイミングの代わりに、端末装置１１−１〜１１−３がセンシングデータを送信したときのタイミングが用いられてもよい。
また、エリア特定部２５６は、エリア設定部２５４により設定された複数のエリアのうちで、エリア値が所定の閾値未満（または、所定の閾値以下）であるエリアを特定する。
【００６０】
図９および図１０を参照して、端末装置１１−１〜１１−３の推定位置の状況について説明する。
図９は、本発明の一実施形態に係る端末装置１１−１〜１１−３の所定の推定位置７２１の状況を表す画面７０１の一例を示す図である。
なお、図９の例では、画面７０１に表示される情報の例を示すが、図９に示される情報は、例えば、情報処理装置５１において記憶されて表示されなくてもよい。
【００６１】
図９の例では、背景となる地図の上に複数の推定位置７２１が所定のマーク（図９の例では、円）で表された画像の情報が画面７０１に表示されている。なお、図９では、図を簡易化するために、複数の推定位置のうち１個の推定位置７２１のみに符号を付してある。
一例として、推定位置７２１としては、端末装置１１−１〜１１−３について制御信号が発生したタイミングに当該端末装置１１−１〜１１−３が存在した位置（推定位置）が用いられる。他の例として、推定位置７２１としては、端末装置１１−１〜１１−３がセンシングデータを送信したときのタイミングに当該端末装置１１−１〜１１−３が存在した位置（推定位置）が用いられる。
【００６２】
ここで、当該所定のマークとしては、例えば、すべての推定位置７２１について同じ形状のマークであってもよく、例えば、すべての推定位置７２１について同じ色のマークであってもよい。当該色としては、例えば、半透明の色が用いられてもよく、この場合、より多数のマークが重なる部分の色がより濃く見える。
図９の例では、推定位置７２１が環状の基準経路に存在することが想定される場合、当該基準経路において、推定位置７２１が十分に存在していない部分（不存在部分７４１、７４２）が存在する。
【００６３】
図１０は、本発明の一実施形態に係る端末装置１１−１〜１１−３の所定の推定位置８２１の不存在部分の状況を表す画面８０１の一例を示す図である。
なお、図１０の例では、画面８０１に表示される情報の例を示すが、図１０に示される情報は、例えば、情報処理装置５１において記憶されて表示されなくてもよい。
図１０の例では、背景となる地図の上に複数の推定位置８２１が所定のマーク（図９の例と同様なマーク）で表された画像の情報が画面８０１に表示されている。なお、図１０では、図を簡易化するために、複数の推定位置のうち１個の推定位置８２１のみに符号を付してある。
図１０の例では、図９の例と同様な環状の基準経路において、推定位置８２１が十分に存在していない部分（不存在部分８４１、８４２）が存在し、それぞれの不存在部分８４１、８４２が所定のマーク（図１０の例では、説明の便宜上、円状の部分に斜線を付したマーク）で表されている。
【００６４】
ここで、不存在部分８４１〜８４２を表すマークとしては、例えば、すべての不存在部分８４１〜８４２について同じ形状のマークであってもよい。
一例として、当該マークの色としては、すべての不存在部分８４１〜８４２について同じ色であってもよい。当該色としては、例えば、半透明の色が用いられてもよい。
他の例として、当該マークの色としては、当該マークに対応する不存在部分８４１〜８４２に含まれる推定位置８２１の密度（または、数）に応じた色が用いられてもよい。推定位置の密度に応じた色としては、例えば、推定位置の密度が小さいほど濃くなる半透明の色が用いられてもよい。
【００６５】
例えば、推定位置８２１の密度（または、数）について基準となる所定の閾値が設定され、推定位置８２１の密度が当該閾値未満（または、当該閾値以下）であって、推定位置８２１の密度と当該閾値との差が大きいほど、当該マークの色が濃くなってもよい。ここで、基準となる所定の閾値としては、例えば、すべてのエリアについて推定位置８２１の密度を平均化した結果の値であってもよい。
なお、推定位置の密度（または、数）に関する判定は、例えば、複数のエリアのそれぞれごとに行われてもよい。
【００６６】
なお、不存在部分８４１〜８４２を表すマークの形状としては、任意の形状が用いられてもよい。例えば、当該マークの形状として、エリア設定部２５４により設定されるエリアと同じ形状が用いられてもよく、あるいは、当該エリアに対して相似な形状が用いられてもよい。また、例えば、当該マークの形状として、エリア設定部２５４により設定されるエリアが２個以上組み合わされた形状が用いられてもよい。
本実施形態では、それぞれの不存在部分８４１、８４２は、エリア特定部２５６により特定されたエリアに対応する部分である。
【００６７】
一例として、端末装置１１−１〜１１−３について制御信号が発生したタイミングに当該端末装置１１−１〜１１−３が存在した位置（推定位置）が用いられる場合には、当該位置の数が小さい地理的な場所は、制御信号の量が少なく、何らかの異常が発生している可能性があると把握される。
他の例として、端末装置１１−１〜１１−３がセンシングデータを送信したときのタイミングに当該端末装置１１−１〜１１−３が存在した位置（推定位置）が用いられる場合には、当該位置の数が小さい地理的な場所は、センシングデータの量が少なく、希少性があり、インセンティブなどのための価値が高いと把握される。
【００６８】
ユーザは、図９に示される画面７０１の情報あるいは図１０に示される画面８０１の情報を見ることで、例えば、端末装置１１−１〜１１−３の所定の推定位置が少ない地理的な場所を、視覚的に直感的に、把握することが可能である。例えば、推定位置８２１を表示する色（例えば、黄色など）と、不存在部分８４１、８４２を表示する色（例えば、青など）とで、異なる色が用いられることで、これらが視覚的に区別し易くされてもよい。なお、このような色の代わりに、斜線などの模様が用いられてもよい。
【００６９】
図１１は、本発明の一実施形態に係る情報処理装置５１において行われる処理の手順の一例を示す図である。
情報取得部２５１は、端末装置１１−１〜１１−３の位置を判定（本実施形態では、推定的に判定）するために使用される情報を取得する（ステップＳ１）。
位置判定部２５２は、情報取得部２５１により取得された情報に基づいて、端末装置１１−１〜１１−３の位置（推定位置）を判定する（ステップＳ２）。
位置補正部２５３は、位置判定部２５２により判定された位置について、当該位置を補正する（ステップＳ３）。
なお、位置の補正が不要である場合には、ステップＳ３の処理は行われなくてもよい。
【００７０】
エリア設定部２５４は、複数のエリアを設定する（ステップＳ４）。
エリア値判定部２５５は、エリア設定部２５４により設定されたエリアについて、エリア値を判定する（ステップＳ５）。エリア値としては、例えば、それぞれのエリアについて、端末装置１１−１〜１１−３について制御信号が発生したときに当該端末装置１１−１〜１１−３がそれぞれのエリアに存在した回数（その総数）、あるいは、それぞれのエリアについて、端末装置１１−１〜１１−３がセンシングデータを送信したときに当該端末装置１１−１〜１１−３がそれぞれのエリアに存在した回数（その総数）が用いられる。
【００７１】
エリア特定部２５６は、エリア設定部２５４により設定されたエリアと、エリア値判定部２５５により判定されたエリア値に基づいて、エリア値が所定の閾値未満（または、所定の閾値以下）となるエリアを特定する（ステップＳ６）。
表示制御部２５７は、任意の情報を表示するための制御を行う（ステップＳ７）。これにより、表示制御部２５７は、当該情報を可視化して、ユーザに提示することができる。なお、表示制御部２５７による情報の表示は、任意のタイミングで行われてもよい。
【００７２】
［実施形態のまとめ］
以上のように、本実施形態に係る通信システム１では、情報処理装置５１は、端末装置１１−１〜１１−３の位置（本実施形態では、推定位置）を判定し、端末装置１１−１〜１１−３に関する所定の信号が発生した量が少ない地理的な部分（エリア）を特定する。
したがって、情報処理装置５１では、端末装置１１−１〜１１−３に関する所定の信号が発生した量が少ない地理的な部分を判定することができる。
【００７３】
本実施形態では、情報処理装置５１は、所定の信号が発生した量として、当該所定の信号が発生したときにおける端末装置１１−１〜１１−３の位置の数を計数した結果を用いる。この場合、情報処理装置５１は、同一の端末装置１１−１〜１１−３について所定の信号が複数回得られたときには、例えば、その複数の回数分の計数を行ってもよい。また、情報処理装置５１は、複数の端末装置１１−１〜１１−３について、同一の位置の情報が得られたときには、例えば、その複数分の計数を行ってもよい。
【００７４】
一例として、端末装置１１−１~１１−３に関する所定の信号としてＬＴＥネットワークにおける制御信号が用いられる場合、当該所定の信号が発生した量が少ない地理的な部分は、端末装置１１−１〜１１−３について制御信号が発生したタイミングに当該端末装置１１−１〜１１−３が存在した位置の数（あるいは、密度）が小さい地理的な部分に相当する。このような地理的な部分では、何らかの異常が発生している可能性があり、その異常によって無線通信の品質が低下している可能性があると考えられる。
これにより、例えば、ネットワークにおける収容設備のカバレッジ（電波の品質）を網羅的かつ高精細に評価することが可能である。そして、所定の信号が発生した量が少ない地理的な部分（疎の部分）については、例えば、作業員が該当する場所へ行って、基地局装置の姿勢あるいはアンテナの角度などを調整することが行われてもよい。
なお、ＬＴＥネットワークにおける制御信号は、例えば、端末装置１１−１〜１１−３の動きに応じてＥＰＣにおいて発生してＬＴＥネットワークを流れる。
【００７５】
他の例として、端末装置１１−１~１１−３に関する所定の信号としてセンシングデータの信号が用いられる場合、当該所定の信号が発生した量が少ない地理的な部分は、端末装置１１−１〜１１−３がセンシングデータを送信したときのタイミングに当該端末装置１１−１〜１１−３が存在した位置の数（あるいは、密度）が小さい地理的な部分に相当する。このような地理的な部分は、例えば異常が発生していないとすると、端末装置１１−１〜１１−３がセンシングデータを送信した回数が少なく、希少性があると考えられる。
これにより、例えば、参加型センシングにおける情報価値の査定において、定量的に情報の希少性を評価することが可能である。そして、情報の希少性に応じて、インセンティブなどを決定してもよい。
【００７６】
このように、本実施形態では、情報処理装置５１は、ＬＴＥネットワークにおけるデータ・パケットのモニタリング結果の情報、あるいは、ＩｏＴにおけるデバイスのセンシング結果の情報、あるいは、他のストリーミングデータに関する情報などを対象として、端末装置１１−１〜１１−３に関する所定の信号が発生した量が少ない地理的な部分を特定することができる。
【００７７】
ここで、端末装置１１−１〜１１−３を認識する手法および端末装置１１−１〜１１−３の位置を判定（推定でもよい。）する手法としては、任意の手法が用いられてもよく、一例として、特許文献１に記載された技術が利用されて、離散的な時間間隔で端末装置の移動位置が推定されてもよい。
本実施形態では、端末装置１１−１〜１１−３に関する基地局装置間のハンドオーバの情報に基づいて当該端末装置１１−１〜１１−３の位置を推定する手法が用いられたが、他の手法が用いられてもよい。例えば、それぞれの端末装置１１−１〜１１−３が、ＧＰＳ（Ｇｌｏｂａｌ  Ｐｏｓｉｔｉｏｎｉｎｇ  Ｓｙｓｔｅｍ）の機能により自装置の位置を検出して当該位置の情報を送信し、情報処理装置５１が当該情報に基づいて当該端末装置１１−１〜１１−３の位置を判定する構成が用いられてもよい。
【００７８】
＜構成例＞
一構成例として、ネットワークで通信を行う移動可能な複数の端末装置（本実施形態では、端末装置１１−１〜１１−３）のそれぞれについて位置を判定する位置判定部（本実施形態では、位置判定部２５２）と、位置判定部による判定の結果に基づいて、端末装置に関する所定の信号が発生した量が少ない地理的なエリアを特定するエリア特定部（本実施形態では、エリア特定部２５６）と、を備える情報処理装置（本実施形態では、情報処理装置５１）である。
一構成例として、情報処理装置において、複数の地理的なエリアを設定するエリア設定部（本実施形態では、エリア設定部２５４）と、エリア設定部により設定されたエリアのそれぞれについて所定の信号が発生した量を表すエリア値を判定するエリア値判定部（本実施形態では、エリア値判定部２５５）と、を備え、エリア特定部は、エリア値判定部により判定されたエリア値に基づいて、エリア設定部により設定されたエリアのうちの一部のエリアを特定する。
一構成例として、情報処理装置において、位置判定部は、端末装置により行われる通信に関する情報に基づいて、時間により変化する端末装置の位置を判定する。
一構成例として、情報処理装置において、位置判定部は、端末装置により行われる通信に関する情報である基地局装置間のハンドオーバに関する情報に基づいて、ハンドオーバにおける端末装置の位置を判定し、さらに、端末装置の位置を補間する。
一構成例として、情報処理装置において、位置判定部により判定された位置を補正する位置補正部（本実施形態では、位置補正部２５３）を備え、位置判定部により判定された位置の代わりに、位置補正部により補正された位置が用いられる。
一構成例として、情報処理装置において、所定の信号が発生したときにおける端末装置の位置と、エリア特定部により特定された所定の信号が発生した量が少ない地理的なエリアとを、異なる態様で表示するように制御する表示制御部（本実施形態では、表示制御部２５７）を備える。
一構成例として、位置判定部が、ネットワークで通信を行う移動可能な複数の端末装置のそれぞれについて位置を判定し、エリア特定部が、位置判定部による判定の結果に基づいて、端末装置に関する所定の信号が発生した量が少ない地理的なエリアを特定する、情報処理方法（本実施形態では、情報処理装置５１において行われる情報処理の方法）である。
一構成例として、位置判定部が、ネットワークで通信を行う移動可能な複数の端末装置のそれぞれについて位置を判定するステップと、エリア特定部が、位置判定部による判定の結果に基づいて、端末装置に関する所定の信号が発生した量が少ない地理的なエリアを特定するステップと、をコンピュータ（本実施形態では、情報処理装置５１を構成するコンピュータ）に実行させるためのプログラムである。
【００７９】
ここで、以上に示した実施形態に係る各装置（例えば、情報処理装置５１など）の機能を実現するためのプログラムをコンピュータ読み取り可能な記録媒体に記録（記憶）して、この記録媒体に記録されたプログラムをコンピュータシステムに読み込ませ、実行することにより、処理を行ってもよい。
なお、ここでいう「コンピュータシステム」とは、オペレーティング・システム（ＯＳ：Ｏｐｅｒａｔｉｎｇ  Ｓｙｓｔｅｍ）あるいは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｃ）等の可搬媒体、コンピュータシステムに内蔵されるハードディスク等の記憶装置のことをいう。
また、コンピュータ読み取り可能な記録媒体は、例えば、非一時的記録媒体である。
【００８０】
さらに、「コンピュータ読み取り可能な記録媒体」とは、インターネット等のネットワークあるいは電話回線等の通信回線を介してプログラムが送信された場合のサーバあるいはクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【００８１】
以上、本発明の実施形態について図面を参照して詳述したが、具体的な構成はこの実施形態に限られるものではなく、本発明の要旨を逸脱しない範囲の設計変更等も含まれる。
【符号の説明】
【００８２】
１…通信システム、１１−１〜１１−３…端末装置、２１−１〜２１−３、３１１〜３１５…基地局装置（ｅＮｏｄｅＢ）、３１…ＭＭＥ装置、３２…記憶装置、４１…Ｓ−ＧＷ装置、４２…Ｐ−ＧＷ装置、４３…ネットワーク、５１…情報処理装置、１０１〜１０４、１１１〜１１３、１２１〜１２２、１３１…回線、２１１…入力部、２１２…出力部、２１３…記憶部、２１４…制御部、２３１…表示部、２５１…情報取得部、２５２…位置判定部、２５３…位置補正部、２５４…エリア設定部、２５５…エリア値判定部、２５６…エリア特定部、２５７…表示制御部、３３１〜３３４、３５１〜３５４、４５１〜４５８、４７１〜４７８、５７１〜５７８、７２１、８２１…位置（推定位置）、４１１、５１１…基準経路、４３１、４３２…閾値線、５３１〜５３４…境界、５５１〜５５３、６１１〜６１６…エリア、７０１、８０１…画面、７４１〜７４２、８４１〜８４２…不存在部分、１０１１…状態テーブル
【図１】
2019062356.tif 000003
【図２】
2019062356.tif 000004
【図３】
2019062356.tif 000005
【図４】
2019062356.tif 000006
【図５】
2019062356.tif 000007
【図６】
2019062356.tif 000008
【図７】
2019062356.tif 000009
【図８】
2019062356.tif 000010
【図９】
2019062356.tif 000011
【図１０】
2019062356.tif 000012
【図１１】
2019062356.tif 000013